(57)【特許請求の範囲】
【請求項１】
照明灯が取り付けられ、什器の天板の上方に照明支持部材により支持されている照明取付部材と、
前記照明取付部材に支えられ、該照明取付部材から上方に伸びるリフレクタ支持部材と、
一方の面に反射面が形成され、該反射面が下方を向くよう配置されているリフレクタと、
前記リフレクタを前記リフレクタ支持部材に接続する接続部材と、
を備え、
前記照明取付部材には、該照明取付部材に取り付けられた前記照明灯からの光を上方に導く開口が形成され、
前記リフレクタは、前記反射面が外縁部の側から内側部の側に向かうに連れて徐々に下方に突出し、該リフレクタの他方の面である背面が外縁部の側から内側部の側に向かうに連れて徐々に下方に凹んだ曲げ形状部を有し、該内側部には、該反射面から該背面へ前記リフレクタ支持部材の上部が挿通される挿通孔が形成され、
前記接続部材は、一部が前記リフレクタの背面に取り付けられ、他の一部が前記リフレクタの挿通孔に挿通された前記リフレクタ支持部の前記上部に取り付けられ、前記照明取付部から上方に離間した位置に該リフレクタを該リフレクタ支持部材に接続する、
ことを特徴とする照明装置。
【請求項２】
請求項１に記載の照明装置において、
前記リフレクタは、板材を曲げ加工して形成され、
前記接続部材は、前記リフレクタの前記背面の面形状に合った形状に加工されていると共に、前記リフレクタ支持部材の前記上部が挿通されるサポート板挿通孔が形成され、該サポート板挿通孔が前記リフレクタの挿通孔と連通するよう該背面に接合されている変形サポート板と、該変形サポート板と前記リフレクタ支持部材の前記上部とを連結する連結部材と、有する、
ことを特徴とする照明装置。
【請求項３】
請求項２に記載の照明装置において、
前記リフレクタは、該リフレクタの前記反射面が、前記天板の前縁から後縁に向かう奥行き方向の両外縁部の側から、該奥行き方向の内側部の側に向かうに連れて徐々に下方に突出する前記曲げ形状部を有し、
前記変形サポート板は、前記奥行き方向に伸び、該奥行き方向の中央部に前記サポート板挿通孔が形成され、該奥行き方向の一方の端部から他方の端部にかけて前記リフレクタの前記背面に接合されている接合部と、前記接合部の両端部から立ち上がっている立設部と、各立設部から前記奥行き方向における前記内側部の側に向かって折り返されている折返し部と、を有し、
前記連結部材は、前記奥行き方向に伸びている連結板を有し、
前記連結板の前記奥行き方向の両端部と前記変形サポート板の各折返し部とが接続され、該連結板の該奥行き方向の中央部と、前記リフレクタの前記挿通孔及び前記変形サポート板の前記サポート板挿通孔に挿通された前記リフレクタ支持部材の前記上部中の上端部とが接続合されている、
ことを特徴とする照明装置。
【請求項４】
請求項３に記載の照明装置において、
前記変形サポート板の前記各折返し部と、前記連結板の前記両端部とのうちの一方に、前記奥行き方向に長い貫通孔、又は該奥行き方向に並んでいる複数の貫通孔が形成され、
前記連結部材は、前記変形サポート板の前記各折返し部と前記連結板の前記両端部とのうちの前記一方の前記貫通孔に貫通して、他方を該一方に接続する接続具を有する、
ことを特徴とする照明装置。
【請求項５】
請求項１から４のいずれか一項に記載の照明装置において、
前記リフレクタの前記挿通孔に挿通された前記リフレクタ支持部材の上部中の最上端の位置は、該リフレクタの最上位置の部分よりも低い、
ことを特徴とする照明装置。
【請求項６】
請求項１から５のいずれか一項に記載の照明装置において、
前記照明取付部材は、前記天板の横幅方向に伸び、上方に前記照明灯が取付可能な主板部と、該主板部の前記奥行き方向における両縁から上下に突出する一対の側板部とを有し、該一対の側板部の各上縁の相互間が前記開口を成し、
前記リフレクタ支持部材は、前記照明取付部材の前記一対の側板部の内面にそれぞれ当接する当接部と、各当接部がそれぞれ当接する該内面に向かって、各当接部を付勢する付勢部と、を有し、
前記照明取付部材の前記一対の側板部には、前記各当接部に接して、該各当接部の下方への相対移動を規制する係止部が形成されている、
ことを特徴とする照明装置。
【請求項７】
請求項６に記載の照明装置において、
前記照明取付部材の前記一対の側板部、及び該一対の側板部の前記係止部は、前記横幅方向に伸びている、
ことを特徴とする照明装置。
【請求項８】
請求項６又は７に記載の照明装置において、
前記リフレクタ支持部材は、前記照明取付部材の前記一対の側板部の内面にそれぞれ当接した前記当接部が、互いに接近する向きへ移動するのを防止する移動防止部材を有する、
ことを特徴とする照明装置。
【発明の詳細な説明】
【技術分野】
【０００１】
本発明は、什器の上方に配置される照明装置に関する。
【背景技術】
【０００２】
机やテーブル等、天板を有する什器の上方に配置される照明装置としては、例えば、以下の特許文献１，２に記載されているものがある。
【０００３】
特許文献１に記載の照明装置は、テーブルの横幅方向の両端部にそれぞれ立設されている４０〜６０ｃｍ程度の高さの支柱と、左右の支柱の上端に渡されているリフレクタと、各支柱に渡されてリフレクタの下側に配置されている照明取付具と、を有している。照明取付具の上部には、横幅方向に伸びる照明灯が取り付けられる。リフレクタには、テーブルに対向し、このテーブルに平行で平坦な反射面が形成されている。
【０００４】
この照明装置では、照明灯からの光が、この照明灯の上方に配置されているリフレクタの平坦な反射面で反射され、テーブルの天板を照らす。すなわち、この照明装置は、天板の間接照明に利用される。
【０００５】
特許文献２に記載の照明装置は、机の天板の後縁に接するよう配置されている１８０〜２４０ｃｍ程度の高さの仕切り壁と、仕切り壁の上部壁面に取り付けられている照明取付具と、仕切り壁の上部壁面に取り付けられ、照明取付具に取り付けられた照明灯の下方に配置されている第一リフレクタと、仕切り壁の上端面に取り付けられている第二リフレクタと、を有している。仕切り壁、照明取付具、第一リフレクタ、第二リフレクタは、いずれも、仕切り壁に沿って天板の横幅方向に伸びている。第一リフレクタには、仕切板の壁面に対して斜め下方に遠ざかる向きに凹む凹面形状の反射面が形成されている。また、第二リフレクタには、仕切り壁の壁面に対して斜め上方に近づく向きに凹む凹面形状の反射面が形成されている。この第二リフレクタは、その下端部がネジ等により仕切壁の上端面に固定されている。
【０００６】
この照明装置では、第一リフレクタで反射されて、斜め上方に向かい、その後、第二リフレクタで反射されて斜め下方に向かって、机の天板を含む机回りを照らす。すなわち、この照明装置は、什器回りの間接照明に利用される。
【先行技術文献】
【特許文献】
【０００７】
【特許文献１】特開２００１−０６１５６３号公報
【特許文献２】特許第３９４００２５号公報
【発明の概要】
【発明が解決しようとする課題】
【０００８】
以上のように、什器回りの間接照明に利用される特許文献２に記載の照明装置では、照明取付具、第一リフレクタ及び第二リフレクタが、いずれも、仕切り壁の上部に取り付けられており、これらを支持する仕切り壁の剛性を確保するために、さらに、第二リフレクタをネジ等で仕切り壁の上端面に固定するために、仕切り壁の前後方向の幅が所定以上必要になり、第二リフレクタを支持する部材（仕切り壁）で、第二リフレクタの下端が接する部分が重厚になってしまう。
【０００９】
しかも、特許文献２に記載の照明装置では、第二リフレクタを支持する部材（仕切り壁）の高さが比較的に高いため、比較的高い位置に重厚感が出てしまい、什器利用者に重苦しい感じを与えてしまうことがある。一方、特許文献１に記載の照明装置では、天板からの支柱の高さがあまり高くないため、支柱の上部にリフレクタ及び照明取付具を設けても、什器利用者に重苦しい感じを与えることはないものの、什器回りを間接照明できない。
【００１０】
すなわち、従来技術では、什器回りを間接照明する場合、什器利用者に重苦しい感じを与えてしまうことがある、という問題点がある。
【００１１】
そこで、本発明は、什器回りの間接照明を実現しつつも、什器利用者に重苦しい感じを与えず、見栄えのよい照明装置を提供することを目的とする。
【課題を解決するための手段】
【００１２】
前記問題点を解決するための発明に係る照明装置は、
照明灯が取り付けられ、什器の天板の上方に照明支持部材により支持されている照明取付部材と、
前記照明取付部材に支えられ、該照明取付部材から上方に伸びるリフレクタ支持部材と、
一方の面に反射面が形成され、該反射面が下方を向くよう配置されているリフレクタと、
前記リフレクタを前記リフレクタ支持部材に接続する接続部材と、を備え、
前記照明取付部材には、該照明取付部材に取り付けられた前記照明灯からの光を上方に導く開口が形成され、
前記リフレクタは、前記反射面が外縁部の側から内側部の側に向かうに連れて徐々に下方に突出し、該リフレクタの他方の面である背面が外縁部の側から内側部の側に向かうに連れて徐々に下方に凹んだ曲げ形状部を有し、該内側部には、該反射面から該背面へ前記リフレクタ支持部材の上部が挿通される挿通孔が形成され、
前記接続部材は、一部が前記リフレクタの背面に取り付けられ、他の一部が前記リフレクタの挿通孔に挿通された前記リフレクタ支持部の前記上部に取り付けられ、前記照明取付部から上方に離間した位置に該リフレクタを該リフレクタ支持部材に接続する、ことを特徴とする。
【００１３】
当該照明装置では、照明取付部材に取り付けられた照明灯からの光が、この照明取付部材の開口から上方に向かい、照明取付部材の上方に配置されているリフレクタの反射面に至る。このリフレクタの反射面は、外縁部の側から内側部の側に向かうに連れて徐々に下方に突出しているので、反射面に至った光は、光の反射位置に応じて反射方向が変わり、拡散される。このため、什器の天板を含む什器回りが照らされる。
【００１４】
また、当該照明装置では、照明取付部材に支えられているリフレクタ支持部材が、照明取付部材に対して上方に離間した位置でリフレクタを支持しているので、リフレクタを比較的高い位置に配置することになる一方で、照明取付部材を比較的に低い位置に配置することができる。また、リフレクタ支持部材は、リフレクタ及び接続部材の他に、照明取付部材や照明灯までも支える剛性を確保する必要がなく、このリフレクタ支持部材を重厚に作らなくてもよい。その上、当該照明装置では、リフレクタ支持部材の上端部とリフレクタの背面とを接続部材で接続して、リフレクタを支えているので、前述した特許文献２に記載の照明装置のように、リフレクタ支持部材の上端でリフレクタの下からこのリフレクタを支える場合よりも、リフレクタ支持部材中で、下方から見えるリフレクタとの接触部分の断面積を、小さくすることができる。よって、当該照明装置によれば、照明装置における上方部分の重厚感を軽減することができる。
【００１５】
このため、当該照明装置によれば、什器の利用者に対して、重苦しさを与えることはない。
【００１６】
また、当該照明装置では、リフレクタ支持部材の上部をリフレクタの挿通孔に挿通させ、このリフレクタ支持部材の上部とリフレクタの背面とを接続部材で接続しているので、リフレクタ支持部材とリフレクタとの接続構造を下方から見ることができない。よって、当該照明装置では、見栄えを良くすることができる。
【００１７】
ここで、前記照明装置において、
前記リフレクタは、板材を曲げ加工して形成され、
前記接続部材は、前記リフレクタの前記背面の面形状に合った形状に加工されていると共に、前記リフレクタ支持部材の前記上部が挿通されるサポート板挿通孔が形成され、該サポート板挿通孔が前記リフレクタの挿通孔と連通するよう該背面に接合されている変形サポート板と、該変形サポート板と前記リフレクタ支持部材の前記上部とを連結する連結部材と、有していてもよい。
【００１８】
当該照明装置では、板材を曲げ加工してリフレクタを形成しているので、リフレクタの軽量化、及びこれに伴うリフレクタ支持部材の軽量化を図ることができる。
【００１９】
また、前記照明装置において、
前記リフレクタは、該リフレクタの前記反射面が、前記天板の前縁から後縁に向かう奥行き方向の両外縁部の側から、該奥行き方向の内側部の側に向かうに連れて徐々に下方に突出する前記曲げ形状部を有し、
前記変形サポート板は、前記奥行き方向に伸び、該奥行き方向の中央部に前記サポート板挿通孔が形成され、該奥行き方向の一方の端部から他方の端部にかけて前記リフレクタの前記背面に接合されている接合部と、前記接合部の両端部から立ち上がっている立設部と、各立設部から前記奥行き方向における前記内側部の側に向かって折り返されている折返し部と、を有し、
前記連結部材は、前記奥行き方向に伸びている連結板を有し、
前記連結板の前記奥行き方向の両端部と前記変形サポート板の各折返し部とが接続され、該連結板の該奥行き方向の中央部と、前記リフレクタの前記挿通孔及び前記変形サポート板の前記サポート板挿通孔に挿通された前記リフレクタ支持部材の前記上部中の上端部とが接続合されていてもよい。
【００２０】
また、前記照明装置において、
前記変形サポート板の前記各折返し部と、前記連結板の前記両端部とのうちの一方に、前記奥行き方向に長い貫通孔、又は該奥行き方向に並んでいる複数の貫通孔が形成され、
前記連結部材は、前記変形サポート板の前記各折返し部と前記連結板の前記両端部とのうちの前記一方の前記貫通孔に貫通して、他方を該一方に接続する接続具を有してもよい。
【００２１】
当該照明装置では、変形サポート板の各折返し部と、連結板の両端部とのうちの一方に形成された奥行き方向に長い貫通孔、又は奥行き方向に並んでいる複数の貫通孔に対して、一方と他方とを接続する接続具の挿通位置を調整することで、変形サポート板の一対の折返し部間の距離が調節される。この結果、当該照明装置では、変形サポート板が接合されているリフレクタの曲がり量を変えることができる。
【００２２】
また、前記照明装置において、
前記リフレクタの前記挿通孔に挿通された前記リフレクタ支持部材の上部中の最上端の位置は、該リフレクタの最上位置の部分よりも低くてもよい。
【００２３】
当該照明装置では、リフレクタの背面とリフレクタ支持部材の最上端との間に配置される接続部材が、リフレクタの存在により、下方からのみならず、奥行き方向からも見えなくなる。よって、当該照明装置では、より見栄えを良くすることができる。
【００２４】
また、前記照明装置において、
前記照明取付部材は、前記天板の横幅方向に伸び、上方に前記照明灯が取付可能な主板部と、該主板部の前記奥行き方向における両縁から上下に突出する一対の側板部とを有し、該一対の側板部の各上縁の相互間が前記開口を成し、
前記リフレクタ支持部材は、前記照明取付部材の前記一対の側板部の内面にそれぞれ当接する当接部と、各当接部がそれぞれ当接する該内面に向かって、各当接部を付勢する付勢部と、を有し、
前記照明取付部材の前記一対の側板部には、前記各当接部に接して、該各当接部の下方への相対移動を規制する係止部が形成されていてもよい。
【００２５】
当該照明装置では、リフレクタ支持部材の一対の当接部を、照明取付部材の一対の側面部に接触させると共に、一対の係止部に接触させることで、リフレクタ支持部材を照明取付部材に取り付けることができる。さらに、リフレクタ支持部材の一対の当接部を付勢部による付勢力に抗して、互いに接近する方向に移動させることで、工具等を用いることなく、簡単に、照明取付部材からリフレクタ支持部材を外すことができる。
【００２６】
また、前記照明装置において、
前記照明取付部材の前記一対の側板部、及び該一対の側板部の前記係止部は、前記横幅方向に伸びていてもよい。
【００２７】
当該照明装置では、照明取付部材に対してリフレクタ支持体を横幅方向にスライドさせることができる。このため、当該照明装置によれば、横幅方向におけるリフレクタの位置を簡単に変えることができる。
【００２８】
また、前記照明装置において、
前記リフレクタ支持部材は、前記照明取付部材の前記一対の側板部の内面にそれぞれ当接した前記当接部が、互いに接近する向きへ移動するのを防止する移動防止部材を有していてもよい。
【００２９】
当該照明装置では、リフレクタ支持部材の一対の当接部が、照明取付部材の一対の側面部に接している状態を維持することができるので、リフレクタ支持部材が照明取付部材から外れるのを防ぐことができる。
【発明の効果】
【００３０】
本発明によれば、什器回りの間接照明を実現しつつも、什器利用者に重苦しい感じを与えず、見栄えをよくすることができる。
【図面の簡単な説明】
【００３１】
【図１】本発明に係る一実施形態における照明装置の全体斜視図である。
【図２】本発明に係る一実施形態における照明装置の要部切欠斜視図である。
【図３】図２中のIII−III線断面図である。
【図４】図２中のIＶ−IＶ線での照明取付部材の断面図である。
【図５】図４中のＶ−Ｖ線断面図である。
【図６】本発明に係る一実施形態における照明装置に取付け可能な照明灯の斜視図である。
【図７】図２中のIII−III線での照明取付部材の断面図である。
【図８】本発明に係る一実施形態におけるリフレクタ支持体の斜視図である。
【図９】本発明に係る一実施形態における接続部材の分解斜視図である。
【図１０】本発明の一実施形態における照明装置の第一変形例の断面図である。
【図１１】本発明の一実施形態における照明装置の第二変形例の断面図である。
【図１２】本発明の一実施形態における接続部材の変形例の分解斜視図である。
【発明を実施するための形態】
【００３２】
以下、本発明に係る照明装置の一実施形態及びその変形例について説明する。
【００３３】
「実施形態」
まず、本発明に係る照明装置の一実施形態について、図１〜図９を参照しながら説明する。
【００３４】
図１に示すように、本実施形態の照明装置１は、テーブル（什器）２００の上方となる位置に延設されている。この照明装置１は、照明灯３を取付可能な照明取付部材６と、この照明取付部材６に接続され、この照明取付部材６に対向配置される反射面７ａを有する反射機構９と、を備えている。
【００３５】
テーブル２００は、平面視矩形状の天板２００ａと、この天板２００ａを支える脚２００ｂと、天板２００ａから上方に向けて延在する複数の照明支柱２０１と、を備えている。なお、以下の説明の都合上、天板２００ａで、テーブル２００を利用している利用者に対向し、この利用者に最も近い側の縁を前縁とし、この利用者に最も遠い側の縁を後縁とする。また、前縁から後縁に向かう方向を奥行き方向Ｙとし、この奥行き方向Ｙ及び上下方向Ｚに垂直な方向を横幅方向Ｘとする。
【００３６】
本実施形態において、複数の照明支柱２０１は、横幅方向Ｘに並んでいる。また、照明取付部材６が延設される延設方向は、この横幅方向Ｘである。また、本実施形態において、複数の照明取付部材６が、横幅方向Ｘに直線的に並んでいる。複数の照明取付部材６は、連結キャップ８０により、相互に連結されている。また、照明取付部材６の横幅方向Ｘの端部で、他の照明取付部６と連結キャップ８０を介して連結されていない端部には、エンドキャップ８１が取り付けられている。
【００３７】
テーブル２００の照明支柱２０１には、図５に示すように、上下方向Ｚに延びる配線空間２０２が形成されている。照明支柱２０１は、上下方向Ｚに延びる配線溝２０３が形成されている支柱本体２０４と、支柱本体２０４の配線溝２０３の開口に着脱可能に装着される配線カバー２０５と、を備えている。なお、上記配線空間２０２は、支柱本体２０４の配線溝２０３と、配線カバー２０５により囲まれた空間である。支柱本体２０４は、上下方向Ｚに断面視して奥行き方向Ｙに長い楕円形状を成しており、配線溝２０３は、支柱本体２０４の側面で、横幅方向Ｘを向く側面に上下方向Ｚの全長に渡って形成されている。
【００３８】
図４及び図５に示すように、支柱本体２０４の上端部には、上下方向Ｚに延びるねじ孔２０７が形成されている。本実施形態では、ねじ孔２０７は、楕円形状断面の支柱本体２０４において、長径方向の両側端側に対を成して設けられている。配線カバー２０５の上端は、開口しており、この開口が照明取付部材６の内部空間１７と連通する配線窓２０５ａを形成している。
【００３９】
照明取付部材６は、図４に示すように、上方に照明灯が取付可能な主板部４と、主板部４の奥行き方向Ｙの両縁から上下方向Ｈに突出する一対の側板部５と、を有している。主板部４は、テーブルの天板と平行で上面側に照明灯を取付け可能な板本体２０と、この板本体２０の上面に接触配置されている補強板２１と、を有している。板本体２０の横幅方向Ｘの長さは、照明取付部材６の横幅方向Ｘの長さと一致している。一方、補強板２１は、この板本体２０の横幅方向Ｘの全体に渡っては存在せず、照明支柱２０１が存在する部分及びその近傍にのみ存在する。この主板部４中、板本体２０と補強板２１とが重なり合っている部分であって、奥行き方向Ｙの中央部が、照明支柱２０１に固定される固定部分２０ａである。
【００４０】
板本体２０の固定部分２０ａの下面には、下方に向けて突出すると共に下端面が照明支柱２０１の上端面に当接するリブ２０ｂが形成されている。本実施形態では、リブ２０ｂは、奥行き方向Ｙに間隔をあけて２つ形成されている。さらに、この固定部分２０ａの下面には、照明支柱２０１の上端部の側面に当接する上補助片２３が、下方に向けて延設されている。上補助片２３は、照明支柱２０１の上端部の側面に両側板部５側、つまり奥行き方向Ｙの外側から当接するように一対設けられている。
【００４１】
また、板本体２０の側端部２０ｃの上面には、後述する補強板２１の基片２５の外側縁に近接するガイド突条２４が上方に向かって突設されている。このガイド突条２４は、横幅方向Ｘに沿って板本体２０の全長に渡って延びている。
【００４２】
補強板２１は、板本体２０の固定部分２０ａおよび側端部２０ｃ上に配置された基片２５と、基片２５の外側縁に立設された起立片２７とを備えており、一枚の板部材で一体形成されている。基片２５には、図示しない第１貫通孔が横幅方向Ｘに間隔をあけて形成され、板本体２０の側端部２０ｃには、上下両方向に開口する第１雌ねじ（不図示）が横幅方向Ｘに間隔をあけて形成されている。そして、補強板２１は、第１貫通孔に上側から差し込まれると共に、第１雌ねじに螺着された第１ねじ（不図示）によって、板本体２０の上面に固定されている。
【００４３】
さらに、補強板２１の基片２５及び板本体２０の固定部分２０ａには、それぞれ、奥行き方向Ｙに間隔をあけて２つの第２貫通孔３０，３１が形成されている。そして、これらの第２貫通孔３０，３１には、主板部４を照明支柱２０１の上端面に固定する第２ねじ２９が上側から差し込まれている。第２ねじ２９の軸部２９ｂは、照明支柱２０１のねじ孔２０７に螺着され、これにより、主板部４は、第２ねじ２９の頭部２９ａと照明支柱２０１の上端面との間で挟持され、照明支柱２０１の上端面に固定される。
【００４４】
一対の側板部５は、それぞれの下端部が照明支柱２０１の上端部の側面に当接することで照明支柱２０１に外嵌するとともに、それぞれの下端から主板部４との連結部分５ａに向かうに従い互いに離間している。一対の側板部５の横幅方向Ｘの長さは、主板部４の板本体２０と同様、照明取付部材６の横幅方向Ｘの長さと一致している。また、一対の側板部５は、連結部分５ａから上下両端に向かうに従い互いに近接するように湾曲形成されており、それぞれの曲率中心が共通とされた円弧形状を成している。
【００４５】
側板部５の下端には、照明支柱２０１の上端部の側面に当接する下補助片３２が上方に向けて延設されている。下補助片３２は、各側板部５にそれぞれの全長に渡って設けられている。
【００４６】
側板部５において、連結部分５ａよりも上側に位置する部分の内面５ｂには、先端部が補強板２１の起立片２７の上端に近接するガイド片３３が突設されている。ガイド片３３は、板本体２０と平行に延びるとともに先端部が下方に向かうように屈曲されている。一対の側板部５の内面５ｂであってガイド片３３の上方には、円弧状に湾曲形成された係止部３４がそれぞれ設けられている。一対の係止部３４は、自身の上部に開口３４ａを形成するとともに、横幅方向Ｘに延設されている。
【００４７】
図６に示すように、照明灯３は、横幅方向Ｘに長い棒状を成している。照明灯３は、奥行き方向Ｙに２つ並べられ、コ字ブラケット３７により両側から挟むようにして固定されている。
【００４８】
図６及び図７に示すように、コ字ブラケット３７は、上面に両照明灯３が配置された主面部３８と、主面部３８の両側端縁から上方に向けて延在して両照明灯３を奥行き方向Ｙに挟み込む一対の側面部３９と、を備えている。主面部３８には、奥行き方向Ｙの両側部分に、上下方向Ｚに貫通する挿通孔３８ａが形成されている。
【００４９】
図７に示すように、板本体２０には、その奥行き方向Ｙの中央部に、上下に連通する連通路２２が形成されていると共に、この連通路２２を基準として奥行き方向Ｙの両側に、第３貫通孔４２が形成されている。この第３貫通孔は、横幅方向Ｘに間隔をあけて複数形成されている。
【００５０】
板本体２０の下面側には、横幅方向Ｘに延在するＬ字ブラケット４３が、奥行き方向Ｙに２つ並べて配設されている。Ｌ字ブラケット４３における板本体２０の下面に当接する面には、上下方向Ｚに貫通する挿通孔４３ａが形成されている。
【００５１】
そして、前述のコ字ブラケット３７の主面部３８に形成された挿通孔３８ａ、板本体２０の第３貫通孔４２、及び板本体２０の下面側に取り付けられたＬ字ブラケット４３の挿通孔４３ａに、第３ねじ４４の軸部が挿通され、この軸部がＬ字ブラケット４３の下面側に配設されたナット４５に螺着されている。これにより、コ字ブラケット３７の主面部３８、板本体２０の側端部２０ｃおよびＬ字ブラケット４３が、第３ねじ４４の頭部とナット４５との間に上下方向Ｚに挟持され、主板部４の上面に照明灯３が取り付けられることとなる。
【００５２】
なお、コ字ブラケット３７、Ｌ字ブラケット４３、コ字ブラケット３７に取り付けられる照明灯３は、横幅方向Ｘにおいて、主板部４の補強板２１（図４参照）が存在する位置、つまり、照明支柱２１が存在する部分及びその近傍を避けた位置に配置されている。
【００５３】
以上のように構成された照明取付部材６は、例えば、アルミニウムの押出し成形により一体形成されている。
【００５４】
図４を用いて前述したように、一対の側板部５の下端には、それぞれ下補助片３２が設けられている。一対の下補助片３２の相互間は、開口している。この開口中、横幅方向Ｘで照明支柱２０１が存在する部分は、この照明支柱２０１で塞がれている。また、この開口中、横幅方向Ｘで照明支柱２０１が存在しない部分は、図７に示すように、カバー体４７で塞がれている。
【００５５】
カバー体４７は、一対の下補助片３２の相互間の開口を閉塞する略板状の閉塞板部４８と、閉塞板部４８の両側端縁から立設されるとともに下補助片３２間に嵌合された一対の嵌合片部４９とを備えている。閉塞板部４８は、両嵌合片部４９間で湾曲形成されており、照明取付部材６に装着された状態での曲率中心が、側板部５の曲率中心と共通となっている。そして閉塞板部４８の外面は、このカバー体４０が照明取付部材６に装着された状態で、一対の側板部５の下端に滑らかに連なる。
【００５６】
照明取付部材６内には、コ字ブラケット３７に取り付けられた照明灯３に電力を供給する給電装置（不図示）が設けられている。この給電装置には、照明支柱２０１の配線空間２０２（図４）や板本体２０の連通路２２等に通された配線が接続されている。
【００５７】
反射機構９は、図２及び図３に示すように、照明取付部材６に支えられている。この反射機構９は、この照明取付部材６から上方に伸びる２つのリフレクタ支持体５１と、照明灯３からの光の反射面７ａが形成されているリフレクタ８と、リフレクタ８を２つのリフレクタ支持体５１に接続する２つの接続部材６０と、を備えている。
【００５８】
リフレクタ８は、矩形状の平板を、その短手方向の中間部が突出するよう、湾曲加工して形成されている。リフレクタ８で、突出する側の面が前述の反射面7ａを成し、この反射面７ａに対向する面が背面７ｂを成す。このリフレクタ８は、反射面7ａが下を向き、その長辺が横幅方向Ｘを向き、その短辺が奥行き方向Ｙを向くよう配置される。
【００５９】
リフレクタ８の奥行き方向Ｙの中央部には、上下方向Ｚに貫通する挿通孔８ａが奥行き方向Ｙに間隔をあけて一対形成されている。リフレクタ８には、一対の挿通孔８ａが横幅方向Ｘに所定距離離間して２組、すなわち、全部で４つの挿通孔８ａが形成されている。
【００６０】
リフレクタ支持体５１は、図３及び図８に示すように、互いに対向する一対の支持杆５２と、一対の支持杆５２を連結する連結杆５９とを有している。一対の支持杆５２は、奥行き方向Ｙに並び、連結杆５９は、奥行き方向Ｙに伸びている。支持杆５２は、上下方向Ｚに伸びる上支持杆部５６と、上支持杆部５６の下端から下方に向かうに従って他方の支持杆５２から遠ざかる方向に伸びる下支持杆部５７と、下支持杆５７の下端から横幅方向Ｘの一方に延びる当接部５８とを有している。
【００６１】
上支持杆部５６には、その上端部に雄ねじ５６ａが形成され、その下端部であって、他方の上支持杆部５６側に、溝５６ｂが形成されている。
【００６２】
連結杆５９は、一対の支持杆５２の各上支持杆部５６が互いに平行で、互いの相互間隔がリフレクタ８の一対の挿通孔８ａの間隔と同じ間隔になるよう、各上支持杆部５６の上下方向Ｚのほぼ中間部を連結している。
【００６３】
各支持杆５２は、いずれも、中実または中空の棒状部材を折り曲げることにより形成されている。また、各支持杆５２及び連結杆５９は、いずれも、弾性を有する鉄等で形成され、支持杆５２と連結杆５９とは、溶接等で接合されている。
【００６４】
本実施形態では、一対の上支持杆部５６で連結杆５９から下の部分、及び一対の下支持杆部５７を弾性変形させることで、一対の当接部５８の相互間隔を変えることができる。なお、ここでは、一対の上支持杆部５６で連結杆５９から下の部分、及び一対の下支持杆部５７を付勢部５３とし、この付勢部５３を弾性変形させていない自然状態では、一対の当接部５８の相互間隔がＬ２であるとする。
【００６５】
接続部材６０は、図３及び図９に示すように、奥行き方向Ｙに伸び、リフレクタ８の背面７ｂの面形状に合った形状に加工されている変形サポート板６１と、奥行き方向Ｙに伸び、変形サポート板６１とリフレクタ支持体５１の上部とを連結する連結板６５と、変形サポート板６１と連結板６５とを接続する接続具としての第４ねじ６６と、連結板６５をリフレクタ支持体５１の上端部に固定するための第１ナット６８及び第２ナット６９と、を有している。
【００６６】
変形サポート板６１は、奥行き方向Ｙに伸び、リフレクタ８の背面７ｂの形状に沿うように奥行き方向Ｙの中央部が下方に突出する形状に湾曲加工された接合部６２と、この接合部６２の両端部のそれぞれから上方に立ち上がっている立設部６３と、各立設部６３から他方の立設部６３に向かって伸びている折返し部６４と、を有している。この変形サポート板６１の接合部６２には、その奥行き方向Ｙの中央部に、奥行き方向Ｙに並び、相互間隔がリフレクタ８の一対の挿通孔８ａの相互間隔と同じ一対の挿通孔６２ａが形成されている。また、各折返し部６４には、上下方向Ｚに貫通し、奥行き方向Ｙに長い長孔６４ａが形成されている。
【００６７】
この変形サポート板６１の接合部６２は、この接合部６２の挿通孔６２ａとリフレクタ８の挿通孔８ａとが連通するよう、リフレクタ８の背面７ｂに、接着剤で接合されている。このように、変形サポート板６１は、リフレクタ８と一体的になることで、リフレクタ８の湾曲状態の維持強化の役目を担っている。なお、ここでは、変形サポート板６１とリフレクタ８とを接着剤で接合しているが、溶接で接合してもよい。但し、溶接の場合、リフレクタ８の反射面７ａが熱変形するおそれがあるため、リフレクタ８に対する入熱量をできる限り少なくすることが好ましい。
【００６８】
連結板６５は、その奥行き方向Ｙの長さが変形サポート板６１の奥行き方向Ｙの長さとほぼ同じである。この連結板６５の奥行き方向Ｙの中央部に、奥行き方向Ｙに並び、相互間隔がリフレクタ８の一対の挿通孔８ａの相互間隔と同じ一対の挿通孔６５ｂが形成されている。また、連結板６５の奥行き方向Ｙの両端部には、それぞれねじ孔６５ａが形成されている。
【００６９】
変形サポート板６１の挿通孔６２ａ及び連結板６５の挿通孔６５ｂは、いずれも、リフレクタ支持体５１の支持杆５２を挿通させることができる孔径になっている。また、変形サポート板６１の長孔６４ａは、第４ねじ６６の軸部を挿通させることができる孔径になっている。また、連結板６５のねじ孔６５ａには、第４ねじ６６が螺合可能な雌ねじが形成されている。第一ナット６８及び第二ナット６９には、支持杆５２の上端部に形成されている雄ねじ５６ａに螺合可能な雌ねじが形成されている。
【００７０】
変形サポート板６１及び連結板６５、さらに前述のリフレクタ８は、いずれも、例えば、アルミニウムの板材で形成されている。
【００７１】
反射機構９は、図３及び図８に示すように、さらに、リフレクタ支持体５１の一対の当接部５８が、それぞれ他方の当接部５８に接近する向きへ移動するのを防止するストッパー（移動防止部材）７０を有している。このストッパー７０は、奥行き方向Ｙの伸び、その両端部に、リフレクタ支持体５１の溝部５６ｂに係合する凹部７０ａが形成されている。このストッパー７０は、例えば、樹脂で形成されている。
【００７２】
次に、以上で説明した反射機構９の組立て手順、及びこの反射機構８の照明取付部６への取付手順について説明する。
【００７３】
まず、接続部材６０により、リフレクタ８をリフレクタ支持体５１に接続する。具体的には、まず、リフレクタ８の挿通孔８ａ、及びこの挿通孔８ａに連通している変形サポート板６１の挿通孔６２ａに、リフレクタ支持体５１の一対の支持杆５２の上部を挿通させる。この際、支持杆５２の上部とリフレクタ８の挿通孔８ａとの間に、リング状のブッシュ７１を介在させる。このブッシュ７１は、例えば、シリコンゴムで形成されている。なお、このブッシュ７１は、リフレクタ８の挿通孔８ａに沿って、予め設けておいてもよい。
【００７４】
次に、リフレクタ８の挿通孔８ａ及び変形サポート板６１の挿通孔６２ａに挿通した支持杆５２の雄ねじ５６ａに、第２ナット６９を螺合させる。続いて、連結板６５の挿通孔６５ｂに、支持杆５２の雄ねじ５６ａを挿通させてから、この雄ねじ５６ａに第１ナット６８を螺合させて、第１ナット６８と第２ナット６９との間で連結板６５を挟み込み、連結板６５を支持杆５３の上端部に固定する。
【００７５】
次に、第４ねじ６６を変形サポート板６１の長孔６４ａに挿通させてから、この第４ねじ６６を連結板６５のねじ孔６５ａに捩じ込み、変形サポート板６１の端部と連結板６５の端部とを接続する。この際、長孔６４ａ内での第４ねじ６６の奥行き方向Ｙの位置を調節することで、変形サポート板６１の一対の折返し部６４間の距離が調節され、結果として、この変形サポート板６１が接合されているリフレクタ８の湾曲の曲率半径を変化させることができる。なお、図９では、変形サポート板６１の折返し部６１の上方に、連結板６５を描いているが、変形サポート板６１と連結板６５との接続時には、図３に示すように、連結板６５の上方に、変形サポート板６１の折返し部６４が位置することになる。
【００７６】
以上で、反射機構９の組立てが完了する。
【００７７】
次に、反射機構９のリフレクタ支持体５１を照明取付部６に取り付ける。具体的には、まず、リフレクタ支持体５１の一対の当接部５８又は一対の付勢部５３に外力を加え、一対の付勢部５３を弾性変形させて、一対の当接部５８の相互間隔を縮め、一対の当接部５８の相互間隔を、照明取付部材６の一対の側板部５の上端の相互間隔よりも小さくする。続いて、一対の側板部５の上端の相互間である開口から、一対の当接部５８を照明取付部６内に入れる。そして、一対の当接部５８の上下方向Ｚの位置が、一対の側板部５の内面５ｂに形成されている係止部３４の位置とほぼ一致すると、一対の付勢部５３に加えている外力を開放する。すると、図７に示すように、一対の当接部５８の相互間隔が広がり、一対の当接部５８は、それぞれ、側板部５の内面５ｂに接すると共に、側板部５の係止部３４に接する。
【００７８】
この際、一対の当接部５８の相互間隔は、一対の付勢部５３が自然状態の際の相互間隔Ｌ２より狭い間隔Ｌ１である。このため、当接部５８は、当該当接部５８に接続されている付勢部５３により、当該当接部５８が接する側板部５の内面５ｂに向かって付勢されていることになる。
【００７９】
この結果、一対の当接部５８は、それぞれ、係止部３４により下方への移動が規制されると共に、一方の当接部５８が、一方の側板部５の内面５ｂにより、奥行き方向Ｙにおける一方の向きへの移動が規制され、他方の当接部５８が、他方の側板部５の内面５ｂにより、奥行き方向Ｙにおける他方の向きへの移動が規制される。
【００８０】
次に、図３及び図８に示すように、一対の支持杆５２の溝５６ｂの相互間にストッパー７０を入れる。一対の支持杆５２の溝５６ｂの相互間にストッパー７０が入ると、このストッパー７０により、一対の当接部５８は、それぞれ、奥行き方向Ｙであって、他方の当接部５８に近づく向きへの移動が規制される。従って、一対の当接部５８は、それぞれ、側板部５の内面５ｂとストッパー７０により、奥行き方向Ｙの両向きの移動が規制される。
【００８１】
よって、リフレクタ支持体５１は、上下方向Ｚ及び奥行き方向Ｙに移動不能に拘束される。
【００８２】
以上で、リフレクタ支持体５１の照明取付部６への取り付けが完了する。この際、リフレクタ支持体５１は、横幅方向Ｘへの移動は拘束されていない。しかしながら、リフレクタ支持体５１の一対の当接部５８は、それぞれ、側板部５の内面５ｂに接すると共に、側板部５の係止部３４に接して、これらから摩擦力を受けるため、リフレクタ支持体５１は、横幅方向Ｘへ自由に移動することはできない。このため、リフレクタ８及びリフレクタ支持体５１を含む反射機構９は、照明取付部６に対して実質的に固定されたことになる。
【００８３】
この状態で、照明取付部材６に取り付けた照明灯３を点灯させると、照明灯３からの光は、一部が、照明取付部材６の一対の側板部５の上端の相互間隔である上部開口から上方へ直接向かい、残りの一部が、照明取付部材６の一対の側板部５の内面５ａや主板部４等で反射してから、上部開口から上方に向かう。
【００８４】
照明取付部材６の上部開口から上方に向かった光は、照明取付部材６の上部に設置されているリフレクタ８の反射面７ａで反射する。この反射面７ａは、前述したように、奥行き方向Ｙの中間部が突出するよう湾曲しているため、この反射面７ａに至った光は、この反射面７ａ中の反射位置に応じて、異なる方向に進み、奥行き方向Ｙに分散される。この結果、テーブル２００、及びその周辺が照らされる。
【００８５】
仮に、テーブル２００回りの環境や、利用者のテーブル２００の利用態様が変わり、この利用者がリフレクタ８による間接照明領域を変えたくなった場合には、リフレクタ支持体５１の当接部５８と側板部５の内面５ｂ及び側板部５の係止部３４との間に働く摩擦力に抗して、リフレクタ支持体５１を横幅方向Ｘに移動させる。または、リフレクタ支持体５１に取り付けたストッパー７０を外してから、リフレクタ支持体５１の一対の当接部５８の相互間を狭めて、当接部５８と側板部５の内面５ｂ及び側板部５の係止部３４とを非接触状態にした後、リフレクタ支持体５１を横幅方向Ｘに移動させる。
【００８６】
この結果、リフレクタ支持体５１の横幅方向Ｘへの移動に伴って、リフレクタ８が横幅方向Ｘに移動し、このリフレクタ８による間接照明領域が変わる。
【００８７】
また、本実施形態では、変形サポート板６１と連結板６５とを接続する際、前述したように、この接続に用いる第４ねじ６６に関して、変形サーポート板６１の長孔６４ａ内での奥行き方向Ｙの位置を調節することで、この変形サポート板６１が接合されているリフレクタ８の湾曲の曲率半径を変化させることができる。このため、この観点からも、リフレクタ８による間接照明領域を変えることができる。
【００８８】
また、仮に、テーブル２００回りの環境変化等で、利用者がリフレクタ８による間接照明を止めたくなった場合には、リフレクタ支持体５１に取り付けたストッパー７０を外してから、リフレクタ支持体５１の一対の当接部５８の相互間を狭めて、リフレクタ支持体５１及びリフレクタ８を含む反射機構９を照明取付部材６から外す。
【００８９】
この反射機構９が外れている状態で、照明取付部材６に取り付けた照明灯３を点灯させると、照明灯３から上方に向かった光は、一部が天井を照らし、一部が天井で反射して、テーブル２００及びその周辺を照らす。すなわち、この場合も、反射機構９が照明取付部材６に取り付けられているときと同様、テーブル２００及びその周辺が照らされる。但し、この場合、照明灯３からの光を反射する部材が、リフレクタ８よりも照明灯３からの距離が大きい天井であるため、テーブル２００及びその周辺の照度は、反射機構９が照明取付部材６に取り付けられているときよりも下がる。
【００９０】
以上のように、本実施形態では、テーブル２００及びその周辺を間接的に照らすことができる。さらに、本実施形態では、テーブル２００回りの環境変化等があった場合に、リフレクタ８による間接照明領域を変えることができる上に、工具を用いずに、簡単に、反射機構９の移動や取り外しを行うことができる。
【００９１】
また、本実施形態では、図３に示すように、リフレクタ支持体５１の上端は、リフレクタ８の最上位置の部分、つまり、リフレクタ８の奥行き方向Ｙの両端部よりも低い位置にある。その上、本実施形態では、リフレクタ支持体５１の上端とリフレクタ８の背面７ｂとの間に、リフレクタ支持体５１とリフレクタ８とを接続する接続部材６０が存在する。このため、本実施形態では、リフレクタ８の下方から、リフレクタ８の奥行き方向Ｙから、リフレクタ支持体５１とリフレクタ８との接続構造を見ることができない。よって、本実施形態では、照明装置１の見栄えを良くすることができる。
【００９２】
また、本実施形態では、照明取付部材６に取り付けたリフレクタ支持体５１が、照明取付部材６に対して上方に離間した位置でリフレクタ８を支持しているので、リフレクタ８を比較的高い位置に配置することになる一方で、照明取付部材６を比較的に低い位置に配置することができる。また、リフレクタ８を支持するリフレクタ支持体５１は、リフレクタ８及び接続部材６０の他に、照明取付部材６や照明灯３までも支える剛性を確保する必要がなく、このリフレクタ支持体５１を重厚に作らなくてもよい。その上、本実施形態では、リフレクタ支持体５１の上端部とリフレクタ８の背面７ｂとを接続部材６０で接続して、リフレクタ８を支えているので、前述した特許文献２に記載の照明装置のように、リフレクタ支持体の上端でリフレクタの下からこのリフレクタを支える場合よりも、リフレクタ支持体５１中で、下方から見えるリフレクタ８との接触部分の断面積を、小さくすることができる。よって、本実施形態では、照明装置１における上方部分の重厚感を軽減することができる。さらに、本実施形態では、横幅方向Ｘに間隔を開けた一対のリフレクタ支持体５１でリフレクタ８を支持しているので、照明取付部材６とリフレクタ８との間であって、一対のリフレクタ支持体５１の相互間は、開放空間となる。
【００９３】
このため、テーブル２００の利用者に対して、重苦しさを与えることはない。
【００９４】
「変形例」
次に、以上で説明した照明装置１の構成部材に関する各種変形例について説明する。
【００９５】
まず、図１０を用いて、リフレクタの第一変形例について説明する。
【００９６】
本変形例のリフレクタ８Ａは、平板を、奥行き方向Ｙの中央部が突出するよう、Ｖ字形に折り曲げ加工したものである。この関係で、変形サポート板６１Ａの接合部６２Ａは、このリフレクタ８Ａの背面７ｂの形状に沿うようＶ字形を成している。このように、リフレクタ８ＡをＶ字形にしても、照明灯３からの光は、このリフレクタ８Ａの下面を成す反射面７ａ中の反射位置に応じて、異なる方向に反射され、奥行き方向Ｙに分散される。よって、本変形例でも、テーブル２００上のみならず、テーブル２００回りの広い範囲を照らすことができる。
【００９７】
次に、図１１を用いて、リフレクタの第二変形例について説明する。
【００９８】
本変形例のリフレクタ８Ｂは、平板を、奥行き方向Ｙの中央部が突出するよう、Ｖ字形に折り曲げ加工した後、奥行き方向Ｙの両端部を下方に折り曲げ加工したもの、つまり、平板をＭ字形に折り曲げ加工したものである。この関係で、変形サポート板６１Ｂの接合部６２Ｂは、このリフレクタ８ＢのＭ字形の背面７ｂのうち、内側よりのＶ字形部分の面形状に沿うようＶ字形を成している。このように、リフレクタ８ＢをＭ字形にしても、照明灯３からの光は、このリフレクタ８Ｂの下面を成すＭ字形の反射面７ａ中、内側よりのＶ字形部分により、奥行き方向Ｙに分散される。よって、本変形例でも、テーブル２００上のみならず、テーブル２００回りの広い範囲を照らすことができる。
【００９９】
なお、上記実施形態及び上記第一変形例では、リフレクタ８，８Ａの全体が、反射面７ａが外縁部から内側部に向かうに連れて徐々に下方に突出し、これらリフレクタ８，８Ａの他方の面である背面７ｂが外縁部から内側部に向かうに連れて徐々に下方に凹んだ曲げ形状部を成しているが、本変形例では、Ｍ字形のリフレクタ８Ｂのうち、内側のＶ字形の部分が曲げ形状部を成している。以上のように、本発明のリフレクタは、一部に曲げ形状部を有しておればよく、全体が曲げ形状部を成している必要はない。
【０１００】
次に、図１２を用いて、変形サポート板と連結板との接続構造の変形例について説明する。
【０１０１】
上記実施形態では、リフレクタ８の曲げ量を調整するために、変形サポート板６１の折返し部６４に、奥行き方向Ｙに長い長孔６４ａを形成し、この長孔６４ａに第４ねじ６６を挿通させて、変形サポート板６１と連結板６５とを接続している。
【０１０２】
本変形例では、リフレクタ８の曲げ量を調整するために、変形サポート板６１の折返し部６４に、奥行き方向Ｙに並ぶ複数の複数の貫通孔６４ｂを形成し、複数の貫通孔６４ｂのうち、いずれかの貫通孔６４ｂに第４ねじ６６を挿通させて、変形サポート板６１と連結板６５とを接続する。このように、奥行き方向Ｙに並ぶ複数の複数の貫通孔６４ｂのうち、第４ねじ６６を挿通させる貫通孔６４ｂを適宜選択することでも、変形サポート板６１の一対の折返し部６４間の距離が調節され、結果として、この変形サポート板６１が接合されているリフレクタ８の曲げ量を調整することができる。
【０１０３】
なお、上記実施形態及び本変形例では、リフレクタ８の曲げ量を調整するために、第４ねじ６６が挿通する孔６４ａ，６４ｂを変形サポート板６１に形成したが、本発明はこれに限定されるものではなく、連結板６５に上記実施形態のような長孔や本変形例のような複数の貫通孔を形成してもよい。
【０１０４】
次に、照明取付部材の変形例について説明する。
上記実施形態の照明取付部材は、主板部４の上側にのみ照明灯３を取り付けることができるが、主板部４の下側にも照明灯を取り付けられるようにしてもよい。この場合、主板部４の下側に取り付けた照明灯からの光が下方に向かうよう、図７に示すカバー体４７を取り外すことになる。なお、この変形例において、主板部４の上側の照明灯３は、テーブル２００を含むテーブル回りの間接照明用の光源となり、主板部４の下側の照明灯は、テーブル２００の天板２００ａの直接照明用の光源となる。
【符号の説明】
【０１０５】
１：照明装置、３：照明灯、４：主板部、５：側板部、５ｂ：内面、６：照明取付部材、７ａ:反射面、７ｂ：背面、８，８Ａ，８Ｂ：リフレクタ、８ａ：挿通孔、９：反射機構、５１：リフレクタ支持体、５２：支持杆、５３：付勢部、５８：当接部、５９：連結杆、６０：接続部材、６１，６１Ａ，６１Ｂ：変形サポート板、６２，６２Ａ，６２Ｂ：接合部、６３：立設部、６４：折返し部、６５：連結板、７０：ストッパー、２００：テーブル、２００ａ：天板
【図１】
0005538142.tif 000002
【図２】
0005538142.tif 000003
【図３】
0005538142.tif 000004
【図４】
0005538142.tif 000005
【図５】
0005538142.tif 000006
【図６】
0005538142.tif 000007
【図７】
0005538142.tif 000008
【図８】
0005538142.tif 000009
【図９】
0005538142.tif 000010
【図１０】
0005538142.tif 000011
【図１１】
0005538142.tif 000012
【図１２】
0005538142.tif 000013